(57)【要約】【課題】加熱コイルからの漏洩磁界を低減し、かつトッププレート上部で視認される前記コイルの加熱や火力等を表示する為の光源からの光の形状を変更し易くすること。【解決手段】加熱コイル２と、加熱コイル２の周囲に設けられ加熱コイル２からの漏洩磁界を低減する磁気シールド部９と、加熱コイル２の上方に配置された透光性のトッププレート４と、加熱コイル２の加熱や火力等を表示する為の光源７とを設け、光源７の上部を磁気シールド部９の一部で覆い導光体１の発光を部分的に遮光すること。【選択図】図１
2008034169.tif 000002
【特許請求の範囲】
【請求項１】
加熱コイルと、前記加熱コイルの周囲に設けられ前記加熱コイルからの漏洩磁界を低減する磁気シールド部と、前記加熱コイルの上方に配置された透光性のトッププレートと、前記加熱コイルの周囲または近傍に設けた導光体と、前記導光体を発光させる光源を設け、前記導光体の上部を前記磁気シールド部の一部で覆うことで前記導光体の発光を部分的に遮光した誘導加熱調理器。
【請求項２】
加熱コイルと、前記加熱コイルの周囲に設けられ前記加熱コイルからの漏洩磁界を低減する磁気シールド部と、前記加熱コイルの上方に配置された透光性のトッププレートと、前記トッププレートの下方に動作時等の火力を表す光源を設け、前記光源の上部を前記磁気シールド部の一部で覆うことで前記光源の発光を部分的に遮光した誘導加熱調理器。
【請求項３】
加熱コイルと、前記加熱コイルの周囲に設けられ前記加熱コイルからの漏洩磁界を低減する磁気シールド部と、前記加熱コイルの上方に配置された透光性のトッププレートと、前記トッププレートの下方に機器の一部が所定温度を超えたときに注意を促す光源を設け、前記光源の上部を前記磁気シールド部の一部で覆うことで前記光源の発光を部分的に遮光した誘導加熱調理器。
【請求項４】
少なくとも１つの光源に対して磁気シールド部に穴を空けたことを特徴とする請求項２または３に記載の誘導加熱調理器。
【請求項５】
磁気シールド部は、導光体とトッププレートの間に載置され、前記導光体及び前記トッププレートと非接触であることを特徴とする請求項１に記載の誘導加熱調理器。
【請求項６】
磁気シールド部で覆われた導光体の部分または光源の発光を遮光している部分をトッププレートに対して平行に設けたことを特徴とする請求項１〜３のいずれか１項に記載の誘導加熱調理器。
【請求項７】
加熱コイルと略同心円状の導光体の一部を遮光し、トッププレート上部で視認される発光が円弧状となることを特徴とする請求項１に記載の誘導加熱調理器。
【請求項８】
加熱コイルと略同心円状の導光体の内、使用者に対して左右の部分を遮光し、トッププレート上部で視認される発光が手前方向と奥方向の２つの円弧状となることを特徴とする請求項７に記載の誘導加熱調理器。
【請求項９】
加熱コイルと略同心円の円弧形状を有する導光体の光源の入射部等を遮光し、トッププレート上部で視認される発光が１つの円弧状となることを特徴とする請求項７に記載の誘導加熱調理器。
【請求項１０】
トッププレート上部で視認される円弧状の発光の端部が鋭角になる様に遮光したことを特徴とする請求項７〜９のいずれか１項に記載の誘導加熱調理器。
【請求項１１】
磁気シールド部と導光体とを一体成型したことを特徴とする請求項１に記載の誘導加熱調理器。
【発明の詳細な説明】
【技術分野】
【０００１】
本発明は加熱コイル周辺に光源及び導光体等の発光手段と加熱コイルからの漏洩磁界を低減する磁気シールド部とを設けた誘導加熱調理器に関するものである。
【背景技術】
【０００２】
従来この種の誘導加熱調理器は加熱コイルに略同心円状に線状の導光体を設けているものがある（例えば、特許文献１参照）。また、加熱コイルの外側に磁気シールド部を設け加熱コイルから、機器外部への漏洩磁界を低減するものがある。
【０００３】
図１５〜１７に示すように、図１５は従来例の導光体を用いた誘導加熱調理器の概念図、図１６は導光体１の上面図、図１７は加熱コイル２の部分断面図である。図において本体３の上面に配置したトッププレート４の加熱部５上に調理鍋（図示せず）が載置される。この調理鍋を加熱するためトッププレート４の加熱部５すなわち調理鍋の載置に対応する位置の下方に加熱コイル２をコイル支持台６の上に設けている。そしてトッププレート４の下方のコイル支持台６上に導光体１を設け、この導光体１の大きさを加熱コイル２の外周部を囲う程度の大きさにすることにより導光体１よりの発光が加熱コイル２に妨げられることなくトッププレート４に達し、トッププレート４上に加熱部５の範囲を明確にすることができる。光源７から発した光が導光体１を伝播してその表面から発光する。図１６では断面が長方形である導光体１を環状とし、その両端に光源７を１個ずつ配設している。
【特許文献１】特開２００５−１００９９８号公報
【発明の開示】
【発明が解決しようとする課題】
【０００４】
しかしながら、前記従来の構成では、導光体の形状に発光させることができるが、発光の形状を変えるには、樹脂製のカバー等の別部品による遮光が必要となり、コスト高になるという課題を有していた。
【０００５】
本発明は、前記従来の課題を解決するもので、加熱コイルからの漏洩磁界を低減し、かつトッププレート上部で視認される前記加熱コイルの位置や火力等を表示する為の光源及び導光体の発光の形状を変更し易い誘導加熱調理器を安価に提供することを目的とする。
【課題を解決するための手段】
【０００６】
前記従来の課題を解決するために、本発明の誘導加熱調理器は、加熱コイルと、前記加熱コイルの周囲に設けられ前記加熱コイルからの漏洩磁界を低減する磁気シールド部と、前記加熱コイルの上方に配置された透光性のトッププレートと、前記加熱コイルの位置や火力等を表示する為の光源と、前記光源の上部を前記磁気シールド部の一部で覆うことで前記導光体の発光を部分的に遮光したものである。
【０００７】
これによって、加熱コイルの周囲を安価にトッププレート上部で視認される光の形状を変更することができる。
【発明の効果】
【０００８】
本発明の誘導加熱調理器は、加熱コイルからの漏洩磁界を低減し、かつトッププレート上部で視認される前記加熱コイルの位置や火力等を表示する為の光源及び導光体の発光の形状を安価で容易に変更することができる。
【発明を実施するための最良の形態】
【０００９】
第１の発明は、加熱コイルと、前記加熱コイルの周囲に設けられ前記加熱コイルからの漏洩磁界を低減する磁気シールド部と、前記加熱コイルの上方に配置された透光性のトッププレートと、前記加熱コイルの周囲または近傍に設けた導光体と、前記導光体を発光させる光源を設け、前記導光体の上部を前記磁気シールド部の一部で覆うとすることにより、同一の導光体を用いて、磁気シールド部の形状変更のみでトッププレート上部で視認される光の形状を安価に変更することが可能となる。
【００１０】
第２の発明は、加熱コイルと、前記加熱コイルの周囲に設けられ前記加熱コイルからの漏洩磁界を低減する磁気シールド部と、前記加熱コイルの上方に配置された透光性のトッププレートと、前記トッププレートの下方に動作時等の火力を表す光源を設け、前記光源の上部を前記磁気シールド部の一部で覆うとすることにより、新たな遮光の為の部品なしで磁気シールド部によりトッププレート上部で視認される光の形状を自由に変更することができる。
【００１１】
第３の発明は、加熱コイルと、前記加熱コイルの周囲に設けられ前記加熱コイルからの漏洩磁界を低減する磁気シールド部と、前記加熱コイルの上方に配置された透光性のトッププレートと、前記トッププレートの下方に機器の一部が所定温度を超えたときに注意を促す光源を設け、前記光源の上部を前記磁気シールド部の一部で覆うとすることにより、新たな遮光の為の部品を設けることなく、磁気シールド部によりトッププレート上部で視認される光の形状を多様な発光形状にすることが可能となる。
【００１２】
第４の発明は、特に、第２または第３の発明の磁気シールド部に穴を空け、本体内の部品を冷却するファンによる冷却風を穴に導くとすることにより、磁気シールド部と光源の温度を下げることができる。
【００１３】
第５の発明は、特に、第１の発明において、磁気シールド部を、導光体とトッププレートの間に載置され、前記導光体及び前記トッププレートと非接触に設けるとすることにより、本体内の部品を冷却するファンによる冷却風を前記導光体または前記光源と前記磁気シールド部の間に導き、前記磁気シールド部と光源の温度を下げることができる。
【００１４】
第６の発明は、特に、第１〜３のいずれかに１つの発明において、磁気シールド部で覆われた導光体の部分または光源の発光を遮光している部分をトッププレートに対して平行に設けるとすることにより、トッププレート上部で視認される発光を磁気シールド部の端面形状に正確に遮光することが可能となる。
【００１５】
第７の発明は、特に、第１の発明において、加熱コイルと略同心円状の導光体の一部を遮光し、トッププレート上部で視認される発光を円弧状となるとすることにより、外観の向上効果が期待できる。
【００１６】
第８の発明は、特に、第７の発明において、加熱コイルと略同心円状の導光体の内、使用者に対して左右の部分を遮光し、トッププレート上部で視認される発光を手前方向と奥方向の２つの円弧状となるとすることにより、外観の向上効果が期待できる。
【００１７】
第９の発明は、特に、第７の発明において、加熱コイルと略同心円の円弧形状を有する導光体の光源の入射部等を遮光し、トッププレート上部で視認される発光を１つの円弧状となるとすることにより、必要最低限の導光体を用いて加熱コイルの位置表示等が可能でありコストを抑えることができる。
【００１８】
第１０の発明は、特に、第７〜９いずれか１つの発明において、トッププレート上部で視認される円弧状の発光の端部を鋭角になる様に遮光するとすることにより、外観の向上の効果が期待できる。
【００１９】
第１１の発明は、特に、第１の発明において、磁気シールド部と導光体をと一体成型とすることにより、トッププレート上部で視認される発光の形状を正確に表示することができる。
【００２０】
以下、本発明の実施の形態について、図面を参照しながら説明する。なお、この実施の形態によって本発明が限定されるものではない。
【００２１】
（実施の形態１）
図１は本発明の第１の実施の形態における誘導加熱調理器の主要断面図、図２は同誘導加熱調理器の加熱コイルの上面図、図３は同要部断面図である。
【００２２】
図１〜３において、ガラス製のトッププレート４の下方に加熱コイル２を設け、加熱コイル２はコイル支持台６によって保持されている。加熱コイル２とコイル支持台６は接着あるいは樹脂部品等を介してネジ止め等によって締結されている。コイル支持台６は支持部１２の上方にあり、バネ８によりトッププレート４上方向に付勢されている。支持部１２には複数の突起物が設けられ、前記突起物の外周にコイル型のバネ８が配置されている。バネ８は複数設けられ、加熱コイル２とトッププレート４が略並行になる様に配置されている。加熱コイル２の外周には漏洩磁界を低減する防磁手段であり導電材料を構成材料とする磁気シールド部９を配置し、磁気シールド部９の下方にガラスあるいは樹脂等を構成材料とする導光体１を設ける。また、導光体１は円形状でなくてもよい。さらにコイル支持台６に導光体１の光源７を設ける。導光体１の断面形状は略長方形で、両側面と底面は表面が鏡面状に形成され内部に導かれた光が全反射する様にして、上面は光が拡散する様に表面を粗くする加工を施している。導光体１の上面をトッププレート４に略平行に設ける。磁気シールド部９は加熱コイル２に対して、上方に載置すると高い防磁効果を得ることができる。図３の様に、磁気シールド部９を加熱コイル２が冷却ファン１０の冷却風の当たり易い様に下方に載置し、磁気シールド部９の形状はコイル支持台６に固定を容易にするために平行面を設ける。さらに磁気シールド部９の一部が導光体の上方を覆う様にプレス及びダイキャスト加工で導光体１に沿った形状を設ける。このとき、磁気シールド部９を平面のみで構成し、磁気シールド部９の一部が導光体の上方を覆う様にすれば加工費を最小限に抑えることができる。また、導光体１は加熱コイル２に対して同心円状以外の形状でもよい。支持部１２の下方には周波数変動装置である駆動回路１１を設けている。
【００２３】
以上のように構成された誘導加熱調理器について、その動作、作用を説明する。
【００２４】
加熱コイル２に周波数変換装置である駆動回路１１から高周波電流が供給されると、加熱コイル２から磁界が発生する。この磁界は磁気シールド部９が形成する閉曲面とも鎖交しており、磁気シールド部９に誘導電流が発生する。このため、磁気シールド部９の内方ではこの誘導電流により磁界が強まり、磁気シールド部９の外方においては磁界が弱まるので、その外側の磁界を抑制することができる。光源７の発光は導光体１に導かれ、磁気シールド部により遮光され、発光がトッププレート４の上部より視認される。本実施の形態の磁気シールド部９は導光体１の上部を部分的に遮光できるので、磁気シールド部９の形状変更のみでトッププレート上部で視認される発光の形状を安価に変更することができる。
【００２５】
また、樹脂製のカバーで導光体１の上方を覆うことにより、磁気シールド部９と併用して遮光してもよい。樹脂製のカバーは自己発熱がない為、導光体１の温度上昇を抑制することができる。
【００２６】
（実施の形態２）
図４は、本発明の第２の実施の形態における誘導加熱調理器の加熱コイル２の上面図であり、図５は、同誘導加熱調理器の断面図である。基本的な構成は実施の形態１と同様であるため、構成の違うところのみを説明する。
【００２７】
本構成では導光体１は用いず、動作時等の火力を表す複数の光源７を用いることを特徴とするものである。この光源７はコイル支持台６の上部にネジ等で止める。また、加熱コイル２周辺の支持部１２上に固定してもよい。火力表示の光源７である為、加熱コイル２から手前側に載置する。光源７の上方を磁気シールド部９で覆い、光源７からの光を一部遮光する。光源７を囲む様に発光ホルダー１３を載置することにより、横方向の光を遮光する。
【００２８】
以上のように構成された誘導加熱調理器について、その動作、作用を説明する。
【００２９】
加熱コイル２に周波数変換装置である駆動回路１１から高周波電流が供給されると、加熱コイル２から磁界が発生する。この磁界は磁気シールド部９が形成する閉曲面とも鎖交しており、磁気シールド部９に誘導電流が発生する。このため、磁気シールド部９の内方ではこの誘導電流により磁界が強まり、また磁気シールド部９の外方においては磁界が弱まるので、その外側の磁界を抑制することができる。光源７からの発光の一部は磁気シールド部９により遮光され、他の遮光されなかった発光がトッププレート４上部より視認される。
【００３０】
（実施の形態３）
図６は、本発明の第３の実施の形態における誘導加熱調理器の加熱コイル２の上面図である。基本的な構成は実施の形態２と同様であるため、構成の違うところのみを説明する。
【００３１】
動作時等の火力を表す複数の光源７を用いず、それに替えて、機器の一部が所定温度を超えたときに注意を促す光源７を用いる。光源７からの発光の一部を磁気シールド部９で直接遮光することにより、安価な誘導加熱調理器を提供できる。
【００３２】
（実施の形態４）
図７は、本発明の第４の実施の形態における誘導加熱調理器の加熱コイル２の上面図であり、図８は、同誘導加熱調理器の加熱コイル２の光源周辺の断面図である。基本的な構成は実施の形態２または３のいずれかと同様であるため、構成の違うところのみを説明する。光源７を囲む様に略長方形の穴を備えた発光ホルダー１３を載置し、光源７の上方に穴を備えた磁気シールド部９で覆ったことを特徴とする。この場合、発光ホルダー１３の穴の形状を磁気シールド部９の穴の外側になる様に大きくとることにより、トッププレート４の上部で磁気シールド部の穴の形状の発光を視認できる。また、発光ホルダー１３の穴と磁気シールド部９の穴の形状及び配置を変えることにより、トッププレート４の上部で磁気シールド部の穴の形状の発光を視認できる。
【００３３】
（実施の形態５）
図３は、本発明の第５の実施の形態における誘導加熱調理器の加熱コイル２の断面図である。基本的な構成は実施の形態１と同様であるため、構成の違うところのみを説明する。前記磁気シールド部９は前記導光体１及び前記トッププレート４と少なくとも１ｍｍ以上の間隔を空けることを特徴とする。
【００３４】
この様に、トッププレート４、磁気シールド部９及び導光体１と間隔を空けることにより、冷却ファン１０の冷却風をそれぞれの間に導くことができるので、温度上昇を緩和することができる。
【００３５】
（実施の形態６）
図３は、本発明の第６の実施の形態における誘導加熱調理器の加熱コイル２の断面図である。基本的な構成は実施の形態１〜３のいずれかと同様であるため、構成の違うところのみを説明する。磁気シールド部９の導光体１または光源７の遮光部分をトッププレートに対して平行に設けたことを特徴とする。
【００３６】
この様に、導光体１または光源７の上方を覆っている部分をトッププレート４に平行に設けることにより、磁気シールド部９端部の形状とほぼ一致する発光をトッププレート４上部で視認できる。
【００３７】
（実施の形態７）
図９は、本発明の第７の実施の形態における誘導加熱調理器の加熱コイル２の上面図である。基本的な構成は実施の形態１と同様であるため、構成の違うところのみを説明する。加熱コイル２と略同心円状の導光体１の入射部（光源７、発光ホルダー１３）を遮光し、トッププレート４上部で視認される発光が円弧状となることを特徴とする。
【００３８】
この様に、磁気シールド部９で導光体１の入射部等を遮光することにより、トッププレート上部で視認される発光を円弧状とすることで、外観の向上が安価にできる。
【００３９】
（実施の形態８）
図１０は、本発明の第８の実施の形態における誘導加熱調理器の加熱コイル２の上面図である。基本的な構成は実施の形態１と同様であるため、構成の違うところのみを説明する。
【００４０】
加熱コイル２と略同心円状の導光体１の内、使用者に対して左右の部分を遮光することを特徴とする。
【００４１】
この様に、磁気シールド部９で加熱コイル２と略同心円状の導光体１の内、使用者に対して左右の部分を遮光することにより、トッププレート４上部で視認される発光を手前方向と奥方向の２つの円弧状とすることで、外観の向上が安価にできる。また、鍋を置いた場合でも前後左右全ての方向から導光体１の発光が視認できる。
【００４２】
（実施の形態９）
図１１は、本発明の第９の実施の形態における誘導加熱調理器の加熱コイル２の上面図である。基本的な構成は実施の形態７と同様である為、構成の違うところのみを説明する。
【００４３】
加熱コイル２と略同心円の円弧形状の導光体１の光源の入射部等を遮光することを特徴とする。
【００４４】
この様に、円弧形状の導光体１の上部を磁気シールド部９で遮光することで、必要最小限の導光体１を用いて外観の向上が安価にできる。
【００４５】
（実施の形態１０）
図１２は、本発明の第１０の実施の形態における誘導加熱調理器の加熱コイル２の上面図である。基本的な構成は実施の形態７〜９のいずれかと同様であるため、構成の違うところのみを説明する。
【００４６】
略同心円状の導光体１の上部を磁気シールド部９で覆い、トッププレート４上部で視認される円弧状の発光の端部が鋭角になる様に遮光したことを特徴とする。また、導光体１の形状は線でもよい。
【００４７】
この様に、円弧形状の導光体１の上部を磁気シールド部９で遮光することで外観の向上が安価にできる。
【００４８】
（実施の形態１１）
図１３は、本発明の第１１の実施の形態における誘導加熱調理器の加熱コイル２の上面図であり、図１４は同誘導加熱調理器の断面図である。基本的な構成は実施の形態１と同様である為、構成の違うところのみを説明する。
【００４９】
略同心円状の導光体１と磁気シールド部９とを一体成型し、磁気シールド部９の少なくとも一部がトッププレート４側である上側になる様にし、磁気シールド部９にて導光体の発光を遮光することを特徴とする。また、導光体１の形状は線でもよい。
【００５０】
この様に、略同心円状の導光体１と磁気シールド部９を一体成型して遮光することで加工費を抑え、トッププレート４上部で視認される発光の形状のバラつきを小さくすることができる。
【産業上の利用可能性】
【００５１】
以上のように、本発明にかかる誘導加熱調理器は、安全で使い勝手が良く、システムキッチン等に組み込まれて使用されるその組み込み式型の他に、据置き型や卓上型の誘導加熱調理器等の用途にも適用できる。
【図面の簡単な説明】
【００５２】
【図１】本発明の実施の形態１における誘導加熱調理器の主要断面図
【図２】本発明の実施の形態１における加熱調理器の加熱コイルの上面図
【図３】本発明の実施の形態１、５、６におけるにおける加熱調理器の加熱コイルの断面図
【図４】本発明の実施の形態２におけるにおける誘導加熱調理器の加熱コイルの上面図
【図５】本発明の実施の形態２における加熱調理器の加熱コイルの断面図
【図６】本発明の実施の形態３における誘導加熱調理器の加熱コイルの上面図
【図７】本発明の実施の形態４における誘導加熱調理器の加熱コイルの上面図
【図８】本発明の実施の形態４における誘導加熱調理器の加熱コイルの光源周辺の断面図
【図９】本発明の実施の形態７における誘導加熱調理器の加熱コイルの上面図
【図１０】本発明の実施の形態８における誘導加熱調理器の加熱コイルの上面図
【図１１】本発明の実施の形態９における誘導加熱調理器の加熱コイルの上面図
【図１２】本発明の実施の形態１０における誘導加熱調理器の加熱コイルの上面図
【図１３】本発明の実施の形態１１における誘導加熱調理器の加熱コイルの上面図
【図１４】本発明の実施の形態１１における誘導加熱調理器の加熱コイル断面図
【図１５】従来例の発光体を用いた誘導加熱調理器の概念図
【図１６】従来例の誘導加熱調理器の導光体の上面図
【図１７】従来例の誘導加熱調理器の加熱コイル２の断面図
【符号の説明】
【００５３】
１  導光体
２  加熱コイル
３  本体
４  トッププレート
５  加熱部
６  コイル支持台
７  光源
８  バネ
９  磁気シールド部
１０  冷却ファン
１１  駆動回路
１２  支持部
１３  発光ホルダー
【図１】
2008034169.tif 000003
【図２】
2008034169.tif 000004
【図３】
2008034169.tif 000005
【図４】
2008034169.tif 000006
【図５】
2008034169.tif 000007
【図６】
2008034169.tif 000008
【図７】
2008034169.tif 000009
【図８】
2008034169.tif 000010
【図９】
2008034169.tif 000011
【図１０】
2008034169.tif 000012
【図１１】
2008034169.tif 000013
【図１２】
2008034169.tif 000014
【図１３】
2008034169.tif 000015
【図１４】
2008034169.tif 000016
【図１５】
2008034169.tif 000017
【図１６】
2008034169.tif 000018
【図１７】
2008034169.tif 000019